(57)【要約】【課題】ショルダーベルトを浮力調整器着用者の肩にフィットさせることが容易な浮力調整器。【解決手段】浮力調整器１の一対のショルダーベルト７が、浮力調整器１の着用者の背中側において長さ調節可能なベルト４６で連結される。【選択図】図１
2005205949.tif 000002
【特許請求の範囲】
【請求項１】
空気ボンベを取り付け可能な背当て部と、前記背当て部から延びる一対のショルダーベルトと、前記空気ボンベの空気を供給可能な空気袋とを有する浮力調整器において、
前記背当て部が前記浮力調整器着用者の肩の近傍に位置する頂部を有し、一対の前記ショルダーベルトのそれぞれは、前記頂部から前記着用者の腹側へ延びるとともに、前記着用者の背中側において前記ショルダーベルトどうしの間に延びる長さ調節可能なベルトによって連結されていることを特徴とする前記浮力調整器。
【請求項２】
前記背当て部が前記着用者の背中において上下方向へ延びる前記空気ボンベを取り付けるためのハーネスによって形成されており、一対の前記ショルダーベルトそれぞれが上端部と下端部とを有し、前記上端部が前記ハーネスの頂部に取り付けられ、前記下端部が前記着用者の腹側へ延びている請求項１記載の浮力調整器。
【請求項３】
一対の前記ショルダーベルトそれぞれの前記上端部が前記ハーネスに回動可能に取り付けられている請求項２記載の浮力調整器。
【請求項４】
前記背当て部と前記ショルダーベルトとが前記浮力調整器を形成する浮力調整用ジャケットの背当て部とショルダー部とである請求項１記載の浮力調整器。
【発明の詳細な説明】
【技術分野】
【０００１】
この発明は、ダイバーが着用する浮力調整器に関する。
【背景技術】
【０００２】
ダイバーが着用する浮力調整器であって、その浮力調整器の背当て部に空気ボンベを取り付け、背当て部の頂部からは一対のショルダーベルトがダイバーの腹側に向かって延びているものは周知である。例えば、月刊ダイバー６月号、ダイビングギア総合カタログ‘９１（１９９１年（株）サンエイティ発行，非特許文献１）の第１０４，１０５頁には、複数の業者の製造に係るこの種浮力調整器の例が多数記載されている。
【非特許文献１】月刊ダイバー６月号、ダイビングギア総合カタログ‘９１（１９９１年（株）サンエイティ発行）
【発明の開示】
【発明が解決しようとする課題】
【０００３】
非特許文献１に記載の浮力調整器は、空気ボンベが取り付けられる背当て部からダイバーの腹側へ向かって延びる一対のショルダーベルトのそれぞれが浮力調整用ジャケットのショルダー部に沿って延びている。そのショルダー部では、ショルダー部の幅方向へ延びる帯状部材によってベルト通しが形成されている。ショルダーベルトは、そのベルト通しに通されてジャケットと一体になっているので、ジャケットを着用したダイバーの肩から外れることはない。しかし、これらの浮力調整器では、ジャケットの肩幅に比べてダイバーの肩幅が狭いときに、ショルダーベルトはジャケットのショルダー部とともに肩から外れる方向へ動き、ショルダーベルトが肩にフィットしないことがある。
【０００４】
そこで、この発明が課題とするのは、ショルダーベルトをダイバーの肩にフィットさせることが容易な浮力調整器の提供である。
【課題を解決するための手段および発明の効果】
【０００５】
前記課題解決のために、この発明が対象とするのは、空気ボンベを取り付け可能な背当て部と、前記背当て部から延びる一対のショルダーベルトと、前記空気ボンベの空気を供給可能な空気袋とを有する浮力調整器である。
【０００６】
かかる浮力調整器において、この発明が特徴とするところは、前記背当て部が前記浮力調整器着用者の肩の近傍に位置する頂部を有し、一対の前記ショルダーベルトのそれぞれは、前記頂部から前記着用者の腹側へ延びるとともに、前記着用者の背中側において前記ショルダーベルトどうしの間に延びる長さ調節可能なベルトによって連結されていること、にある。
【０００７】
この発明に基づく浮力調整器では、背当て部の頂部からダイバーの右肩と左肩とに向かって延びる一対のショルダーベルトがダイバーの背中側において長さ調節可能なベルトによって連結されているから、そのバンドの長さによってショルダーベルトとショルダーベルトとの間の開角を調節して、ショルダーベルトのそれぞれをダイバーの肩にフィットさせることができる。
【０００８】
この発明の実施態様の一つにおいて、前記背当て部が前記着用者の背中において上下方向へ延びる前記空気ボンベを取り付けるためのハーネスによって形成されており、一対の前記ショルダーベルトそれぞれが上端部と下端部とを有し、前記上端部が前記ハーネスの頂部に取り付けられ、前記下端部が前記着用者の腹側へ延びている。
【０００９】
かような態様の浮力調整器では、空気ボンベを取り付けるためのハーネスが浮力調整器の背当て部の一部を成す場合に、そのハーネスから延びる一対のショルダーベルトを使用してこの発明を実施することができる。
【００１０】
この発明の実施態様の他の一つにおいて、一対の前記ショルダーベルトそれぞれの前記上端部が前記ハーネスに回動可能に取り付けられている。
【００１１】
かような態様の浮力調整器では、ショルダーベルトどうしを連結しているベルトの長さを調節すると、ショルダーベルトの端部が回動してショルダーベルトどうしの間の開角が滑らかに変化する。
【００１２】
この発明の実施態様の他の一つにおいて、前記背当て部と前記ショルダーベルトとが前記浮力調整器を形成する浮力調整用ジャケットの背当て部とショルダー部とである。
【００１３】
かかる態様に示されているように、この発明は、浮力調整用ジャケットの背当て部から延びるショルダー部を使用して実施することもできる。
【発明を実施するための最良の形態】
【００１４】
添付の図面を参照して、この発明に係る浮力調整器の詳細を説明すると、以下のとおりである。
【００１５】
図１，２，３は、浮力調整器１の正面図と、背面図と、一部分が展開されている状態の部分破断正面図である。ただし、図１，３では、浮力調整器１に取り付けられた空気ボンベ２が実線で示されており、図２ではそれが仮想線で示されている。また、図３では、ベルト４６ｂを図１，２のそれよりも長めに調節することによって、ショルダーベルト７と７との開角Ａが図１の開角Ａよりも大きくなっている。
【００１６】
浮力調整器１は、空気ボンベ２からの空気を供給可能であってダイバーの背中と腹部とを覆う空気袋３と、空気袋３に固定されておりダイバーの背中で上下方向へ延びるように形成されているハーネス４と、ハーネス４の頂部６から延びる一対のショルダーベルト７と、ハーネス４の底部９からダイバーの胴周り方向へ延びる一対のウエストバンド１１とを有する。空気ボンベ２は、空気袋３の背中側の外に位置しており、ハーネス４に長さ調節可能に取り付けられているバンド１３によってハーネス４に固定されている。空気ボンベ２の頂部にはファーストステージ１６が取り付けられており、そのファーストステージ１６から延びる高圧ホース１７がマウスピース１８を有するセカンドステージ１９にまで延びている。セカンドステージ１９からは蛇腹形式の中圧ホース２１が空気袋３のショルダー部２２に設けられたアタッチメント２３にまで延びている。セカンドステージ１９における操作ボタン等（図示せず）の操作によって、空気ボンベ２の空気を空気袋３に供給したり、空気袋３の空気を排出したりすることができる。かような空気袋３は、ダイバーの身体にフィットし易いように可撓性のシート材料で形成されていて、気密性を有する。
【００１７】
ハーネス４は、空気ボンベ２を固定することができるように堅固に作られており、空気袋３に対してその気密性を損なうことがないように複数のボルト２６によって取り付けられている。空気袋３の内側において、ハーネス４とボルト２６とは弾力性のあるパッド２７によって覆われている。
【００１８】
一対のショルダーベルト７は、上端部３１がボルト３３によってハーネス４に回動可能に取り付けられており、空気袋３のショルダー部２２の内側に帯片３６によって形成されているベルト通しを通って浮力調整器１の着用者の腹側へ延びている。ショルダーベルト７の下端部は、第１下端部３２ａと第２下端部３２ｂとの二股に分かれ、それぞれが空気袋３に対して長さ調節可能に取り付けられている。
【００１９】
一対のウエストバンド１１は、一方のバンド１１の先端部内面にフック部材とループ部材とからなるメカニカルファスナのフック部材３７が取り付けられており、もう一方のバンド１１の先端部外面にはループ部材３８が取り付けられている。一対のウエストバンド１１は、これら両部材３７，３８の係合によって長さ調節可能に連結し、空気袋３の胴周り部３９をダイバーの胴周りにフィットさせることができる。その胴周り部３９にはまた、挿抜可能な雌雄一対のバックル４１，４２が長さ調節可能なバンド４３，４４を介して取り付けられている。これらバンド４３，４４によっても、空気袋３の胴周り部３９をダイバーにフィットさせることができる。
【００２０】
かような浮力調整器１では、一対のショルダーベルト７と７とが、ハーネス４の頂部６の近傍において、バックル４５によって長さ調節可能であるベルト４６で連結されている。ベルト４６は、一方のショルダーベルト７に固定された第１ベルト４６ａと、もう一方のショルダーベルト７に固定された第２ベルト４６ｂとからなり、ベルト４６ａにバックル４５が取り付けられている。ショルダーベルト７と７との間の開角Ａは、ベルト４６の長さを長くすれば大きくなり、短くすれば小さくなるように変化する。ショルダーベルト７のそれぞれは、ベルト４６の長さを調節するときに、上端部３１がボルト３３を中心に回動するので、開角Ａは滑らかに変化する。また、ベルト４６は、浮力調整器１を着用したときに着用者の背中側に位置するようにそれぞれのショルダーベルト７に取り付けられている。
【００２１】
かかるベルト４６を有する浮力調整器１では、開角Ａを調節することによって一対のショルダーベルト７をダイバーの肩幅に合わせることができるから、そのショルダーベルト７はダイバーの身体によくフィットして、ダイバーの肩から外れることがない。また、空気袋３のショルダー部２２は、帯片３６が形成するベルト通しを介してショルダーベルト７と一体になっているから、そのショルダー部２２もまた、ダイバーの肩からずり落ちるということがない。
【００２２】
図示例において、ショルダーベルト７は、上端部３１がボルト３３を中心に回動可能なものであったが、その上端部３１がハーネス４に回動不能に取り付けられている態様でこの発明を実施することも可能である。そのような態様は、ベルト４６によって一対のショルダーベルト７を開角Ａが小さくなるように引き寄せることができる。
【００２３】
図４は、この発明の実施態様の一例を示す図２と同様な図である。図４の浮力調整器１では、バックル４５によって長さ調節可能なベルト４６がジャケット形状の空気袋３における一対のショルダー部２２を連結している。ベルト４６によってショルダー部２２どうしを接近させると、ショルダー部２２の内側で帯片３６が形成するベルト通しに通されているショルダーベルト７（図３参照）どうしを接近させて、肩幅の狭いダイバーの肩にショルダーベルト７とショルダー部２２とをフィットさせることができる。
【産業上の利用可能性】
【００２４】
この発明によれば、ショルダーベルトがダイバーの肩によくフィットする浮力調整器の製造が可能になる。
【図面の簡単な説明】
【００２５】
【図１】浮力調整器の正面図。
【図２】浮力調整器の背面図。
【図３】一部分が展開した状態にある浮力調整器の部分破断正面図。
【図４】実施態様の一例を示す図２と同様な図。
【符号の説明】
【００２６】
１    浮力調整器
２    空気ボンベ
３    ジャケット（空気袋）
４    ハーネス
６    頂部
７    ショルダーベルト
４５    バックル
４６，４６ａ，４６ｂ    ベルト
【図１】
2005205949.tif 000003
【図２】
2005205949.tif 000004
【図３】
2005205949.tif 000005
【図４】
2005205949.tif 000006